(57)【要約】      （修正有）【課題】構造が簡単で切妻屋根型角型容器に対する取り付け取り外し作業が簡単に出来る切妻屋根型角型容器の付属容器を提供することを可能にする。【解決手段】切妻屋根型角型容器２の切妻屋根３の傾斜面３ａの幅寸法に対応する長さを有して該傾斜面３ａに当接すると共に、一部に物品４を収容する収容部1a1が形成された当接片１ａと、該当接片１ａの両端部にヒンジ部１ｂを介して接続され、傾斜面３ａの裏面側に係止される係止片１ｃとを有して構成した。【選択図】図１
0003129450.tif 000002
【実用新案登録請求の範囲】
【請求項１】
切妻屋根型角型容器の付属容器であって、
前記切妻屋根型角型容器の切妻屋根の傾斜面の幅寸法に対応する長さを有して該傾斜面に当接すると共に、一部に物品を収容する収容部が形成された当接片と、
前記当接片の両端部にヒンジ部を介して接続され、前記傾斜面の裏面側に係止される係止片と、
を有することを特徴とする切妻屋根型角型容器の付属容器。
【請求項２】
前記当接片の一辺にヒンジ部を介して裏板片が接続され、該裏板片により前記当接片の収容部に収容された物品が閉塞されることを特徴とする請求項１に記載の切妻屋根型角型容器の付属容器。
【請求項３】
前記当接片、前記係止片及び前記裏板片が可撓性材料で構成され、前記ヒンジ部が前記当接片と前記係止片との折曲部、または前記当接片と前記裏板片との折曲部で構成されたことを特徴とする請求項１または請求項２に記載の切妻屋根型角型容器の付属容器。
【請求項４】
前記切妻屋根型角型容器の付属容器は、透明な樹脂を圧空成形または真空成形により作成したことを特徴とする請求項１〜３の何れか１項に記載の切妻屋根型角型容器の付属容器。
【考案の詳細な説明】
【技術分野】
【０００１】
本考案は、牛乳、ジュース、飲むヨーグルト、豆乳、日本酒、ワイン等の飲料やサラダ油等の液体を収容する切妻屋根型角型容器の付属容器に関するものである。
【背景技術】
【０００２】
従来、上記切妻屋根型角型容器の付属容器としては、天部に箱型の紙箱や合成樹脂製の重ね箱を被せて取り付けるものが提案されている（例えば、特許文献１、２参照。）。
【０００３】
【特許文献１】特開２００３−１１９４８号公報
【特許文献２】実用新案登録第３０７０６４１号公報
【考案の開示】
【考案が解決しようとする課題】
【０００４】
しかしながら、前述の特許文献１、２の技術では、構造が複雑な上、切妻屋根型角型容器に対する取り付け作業が面倒であった。
【０００５】
本考案は前記課題を解決するものであり、その目的とするところは、構造が簡単で切妻屋根型角型容器に対する取り付け取り外し作業が簡単に出来る切妻屋根型角型容器の付属容器を提供せんとするものである。
【課題を解決するための手段】
【０００６】
前記目的を達成するための本考案に係る切妻屋根型角型容器の付属容器の第１の構成は、切妻屋根型角型容器の付属容器であって、前記切妻屋根型角型容器の切妻屋根の傾斜面の幅寸法に対応する長さを有して該傾斜面に当接すると共に、一部に物品を収容する収容部が形成された当接片と、前記当接片の両端部にヒンジ部を介して接続され、前記傾斜面の裏面側に係止される係止片とを有することを特徴とする。
【０００７】
また、本考案に係る切妻屋根型角型容器の付属容器の第２の構成は、前記第１の構成において、前記当接片の一辺にヒンジ部を介して裏板片が接続され、該裏板片により前記当接片の収容部に収容された物品が閉塞されることを特徴とする。
【０００８】
また、本考案に係る切妻屋根型角型容器の付属容器の第３の構成は、前記第１、第２の構成において、前記当接片、前記係止片及び前記裏板片が可撓性材料で構成され、前記ヒンジ部が前記当接片と前記係止片との折曲部、または前記当接片と前記裏板片との折曲部で構成されたことを特徴とする。
【０００９】
また、本考案に係る切妻屋根型角型容器の付属容器の第４の構成は、前記第１〜第３の構成において、前記切妻屋根型角型容器の付属容器は、透明な樹脂を圧空成形または真空成形により作成したことを特徴とする。
【考案の効果】
【００１０】
本考案に係る切妻屋根型角型容器の付属容器の第１の構成によれば、付属容器の当接片の一部に設けられた収容部に物品を収容した状態で該当接片を切妻屋根型角型容器の切妻屋根の傾斜面に当接し、係止片をヒンジ部を介して折り曲げて該傾斜面の裏面側に係止することで、景品等の物品を切妻屋根型角型容器に容易に付属させることが出来、付属容器の構造が簡単で切妻屋根型角型容器に対する取り付け取り外し作業が簡単に出来る。
【００１１】
また、本考案に係る切妻屋根型角型容器の付属容器の第２の構成によれば、付属容器の当接片の一部に設けられた収容部に物品を収容した状態で、裏板片をヒンジ部を介して折り曲げて該収容部に収容された物品を閉塞することが出来、付属容器を切妻屋根型角型容器に取り付ける際に物品が脱落することがない。また、物品を取り出す際にも裏板片をヒンジ部を介して開放することで、物品を容易に取り出すことが出来る。
【００１２】
また、本考案に係る切妻屋根型角型容器の付属容器の第３の構成によれば、付属容器の当接片、係止片及び裏板片が可撓性材料で構成され、ヒンジ部が当接片と係止片との折曲部、または当接片と裏板片との折曲部で構成されたことで、切妻屋根型角型容器の切妻屋根の傾斜面の裏面側に係止片を折曲するだけで付属容器を容易に係止することが出来、係止片を開放するだけで付属容器を容易に取り外すことが出来る。また、裏板片を折曲するだけで収容部に収容された物品を容易に閉塞することが出来、裏板片を開放するだけで物品を容易に取り出すことが出来る。
【００１３】
また、本考案に係る切妻屋根型角型容器の付属容器の第４の構成によれば、ＰＥＴ（ポリエチレンテレフタレート；ポリエステル）等の透明な樹脂を圧空成形または真空成形により容易に作成することが出来、付属容器の当接片に形成した収容部に収容された物品を容易に視認することが出来、切妻屋根型角型容器の表面の印刷も視認できるのでデザイン性に優れる。
【考案を実施するための最良の形態】
【００１４】
図により本考案に係る切妻屋根型角型容器の付属容器の一実施形態を具体的に説明する。図１（ａ）は本考案に係る切妻屋根型角型容器の付属容器の構成を示す斜視説明図、図１（ｂ）は本考案に係る切妻屋根型角型容器の付属容器を切妻屋根型角型容器の切妻屋根の傾斜面に取り付けた様子を示す斜視説明図、図２は本考案に係る切妻屋根型角型容器の付属容器を切妻屋根型角型容器の切妻屋根の傾斜面に取り付ける様子を示す斜視説明図である。
【００１５】
図１及び図２において、１は切妻屋根型角型容器２の付属容器であって、該切妻屋根型角型容器２の切妻屋根３の傾斜面３ａの幅寸法に対応する長さを有して該傾斜面３ａに当接すると共に、中央部（一部）に物品４を収容する収容部1a1が形成された当接片１ａと、該当接片１ａの両端部にヒンジ部１ｂを介して接続され、傾斜面３ａの裏面側に係止される係止片１ｃとを有して構成される。
【００１６】
本実施形態では、当接片１ａの一辺にヒンジ部１ｂを介して裏板片１ｄが接続されており、該裏板片１ｄにより当接片１ａの収容部1a1に収容された物品４が閉塞される。尚、裏板片１ｄを設ける代わりに、図示しない粘着テープを物品４の裏面側に亘って当接片１ａの裏面側に貼着して物品４を閉塞することでも良いし、収容部1a1の内側に物品４を係止する係止部を設けて物品４を保持する構成であっても良い。
【００１７】
また、本実施形態では、当接片１ａ、係止片１ｃ及び裏板片１ｄがＰＥＴ（ポリエチレンテレフタレート；ポリエステル）等の透明な樹脂を圧空成形または真空成形により作成した可撓性材料で構成され、各ヒンジ部１ｂが当接片１ａと係止片１ｃとの折曲部、または当接片１ａと裏板片１ｄとの折曲部で構成することが出来る。
【００１８】
尚、真空成形とは、樹脂(プラスチック)シートを成形枠にクランプして加熱軟化させ、型にあけた真空孔よりバキュームにて吸引し大気圧（１kg／cm2）によって型に密着させて成形する方法である。また、圧空成形とは、樹脂(プラスチック)シートを成形枠にクランプして加熱軟化させ、圧縮空気（３kg/cm2〜５kg/cm2）の圧力で樹脂シートを型に沿わせて、真空成形よりも更に型に密着させて成形する方法である。
【００１９】
付属容器１を切妻屋根型角型容器２に取り付ける場合には、先ず、図１（ａ）に示すように、裏板片１ｄをヒンジ部１ｂを介して開放した状態で物品４を付属容器１の当接片１ａの一部に設けられた収容部1a1内に収容し（図２（ａ）参照）、裏板片１ｄをヒンジ部１ｂを介して折り曲げて物品４の裏面側を閉塞する（図２（ｂ）参照）。
【００２０】
そして、図２（ｃ）に示すように、付属容器１の係止片１ｃをヒンジ部１ｂを介して開放した状態で当接片１ａを切妻屋根型角型容器２の切妻屋根３の傾斜面３ａに当接し、係止片１ｃをヒンジ部１ｂを介して折り曲げて該傾斜面３ａの裏面側に係止する。切妻屋根型角型容器２の切妻屋根３の傾斜面３ａの裏面側は三角錐形状の空隙５が形成されており、その稜線に対応して係止片１ｃの下端部にはテーパ部1c1が形成されている。係止片１ｃは傾斜面３ａの裏面側に形成される三角錐形状の空隙５の壁面により係止される。
【００２１】
上記構成によれば、付属容器１の当接片１ａの一部に設けられた収容部1a1に物品４を収容した状態で該当接片１ａを切妻屋根型角型容器２の切妻屋根３の傾斜面３ａに当接し、係止片１ｃをヒンジ部１ｂを介して折り曲げて該傾斜面３ａの裏面側に係止することで、景品等の物品４を切妻屋根型角型容器２に容易に付属させることが出来、付属容器１の構造が簡単で切妻屋根型角型容器２に対する取り付け取り外し作業が簡単に出来る。
【００２２】
また、付属容器１の当接片１ａの一部に設けられた収容部1a1に物品４を収容した状態で、裏板片１ｄをヒンジ部１ｂを介して折り曲げて該収容部1a1に収容された物品４を閉塞することが出来、付属容器１を切妻屋根型角型容器２に取り付ける際に物品４が脱落することがない。また、物品４を取り出す際にも裏板片１ｄをヒンジ部１ｂを介して開放することで、物品４を容易に取り出すことが出来る。
【００２３】
また、付属容器１の当接片１ａ、係止片１ｃ及び裏板片１ｄが可撓性材料で構成され、ヒンジ部１ｂが当接片１ａと係止片１ｃとの折曲部、または当接片１ａと裏板片１ｄとの折曲部で構成されたことで、切妻屋根型角型容器２の切妻屋根３の傾斜面３ａの裏面側に係止片１ｃを折曲するだけで付属容器１を容易に係止することが出来、係止片１ｃを開放するだけで付属容器１を容易に取り外すことが出来る。また、裏板片１ｄを折曲するだけで収容部1a1に収容された物品４を容易に閉塞することが出来、裏板片１ｄを開放するだけで物品４を容易に取り出すことが出来る。
【００２４】
また、付属容器１はＰＥＴ（ポリエチレンテレフタレート；ポリエステル）等の透明な樹脂を圧空成形または真空成形により容易に作成することが出来、付属容器１の当接片１ａに形成した収容部1a1に収容された物品４を容易に視認することが出来、切妻屋根型角型容器２の表面の印刷も視認できるのでデザイン性に優れる。
【産業上の利用可能性】
【００２５】
本考案の活用例として、牛乳、ジュース、飲むヨーグルト、豆乳、日本酒、ワイン等の飲料やサラダ油等の液体を収容する切妻屋根型角型容器の付属容器に適用することが出来る。
【図面の簡単な説明】
【００２６】
【図１】（ａ）は本考案に係る切妻屋根型角型容器の付属容器の構成を示す斜視説明図、（ｂ）は本考案に係る切妻屋根型角型容器の付属容器を切妻屋根型角型容器の切妻屋根の傾斜面に取り付けた様子を示す斜視説明図である。
【図２】本考案に係る切妻屋根型角型容器の付属容器を切妻屋根型角型容器の切妻屋根の傾斜面に取り付ける様子を示す斜視説明図である。
【符号の説明】
【００２７】
１…付属容器
１ａ…当接片
1a1…収容部
１ｂ…ヒンジ部
１ｃ…係止片
1c1…テーパ部
１ｄ…裏板片
２…切妻屋根型角型容器
３…切妻屋根
３ａ…傾斜面
４…物品
５…空隙
【図１】
0003129450.tif 000003
【図２】
0003129450.tif 000004